(57)【要約】【課題】  装置使用者が原稿圧板の開放をせず原稿台上に載置した原稿を忘れてしまうということがなく、かつ、低コスト化、省電力化、装置の小型化が可能な画像読取装置を提供する。【解決手段】  原稿載置部２５０と、画像読取部１００と、前記画像読取部１００を移動させる駆動部２４０と、原稿圧板３００を備えた画像読取装置に於いて、前記原稿圧板３００を開放するための圧板開放部３２０、３３０、３４０と、前記駆動部２４０の駆動力を選択的に前記圧板開放部３２０、３３０、３４０に伝達する駆動切替部１８０とを備え、前記画像読取部１００が原稿の画像情報を読み取り終わり元の位置に戻る間、前記駆動切替部１８０によって駆動力を前記圧板開放部３２０、３３０、３４０に伝達し、前記原稿圧板３００を開放することを特徴とする画像読取装置。【選択図】        図５
2005167558.tif 000002
【特許請求の範囲】
【請求項１】
原稿を載置する原稿載置部と、原稿の画像情報を読み取る画像読取部と、画像を読み取るために前記画像読取部を移動させる駆動部と、前記原稿載置部に対して回動自在に保持され、前記原稿載置部の原稿を押える為の原稿圧板を備えた画像読取装置において、
前記原稿圧板を開放するための圧板開放部と、
前記駆動部の駆動力を選択的に前記圧板開放部に伝達する駆動切替部とを備え、
前記画像読取部が原稿の画像情報を読み取り終わり元の位置に戻る間、前記駆動切替部によって駆動力を前記圧板開放部に伝達し、前記原稿圧板を開放することを特徴とする画像読取装置。
【請求項２】
原稿の画像情報を読み取る画像読取部と、原稿を押える原稿圧板と、駆動部と、を備える画像読取装置において、
前記画像読取部を移動させる移動部と、
前記原稿圧板を開放する圧板開放部とを備え、
前記駆動部の駆動力を選択的に前記移動部および前記圧板開放部、または前記移動部に伝達する駆動切替部を備えることを特徴とする画像読取装置。
【請求項３】
原稿の画像情報を読み取る画像読取部と、原稿を押える原稿圧板と、駆動部と、を備える画像読取装置において、
前記画像読取部を移動させる移動部と、
前記原稿圧板を開放する圧板開放部とを備え、
前記駆動部の駆動力を選択的に前記移動部または前記圧板開放部に伝達する駆動切替部を備えることを特徴とする画像読取装置。
【発明の詳細な説明】
【技術分野】
【０００１】
本発明は、複写機、イメージスキャナ等に用いる画像読取装置に関し、特に、原稿台上の原稿を載せる原稿台に対して、開閉可能な原稿圧板を備える画像読取装置に関するものである。
【背景技術】
【０００２】
従来の画像読取装置は、装置本体に原稿を載置する原稿台と、この原稿台上で開閉する回動可能な原稿圧板を備える。この原稿圧板は、画像読取装置に於いて、画像読み取り作業を行う時に、原稿台に載置した原稿を上側から押えて、原稿がずれることを防止する。また、装置本体内に設けられた露光装置からの光を反射させて、良好な画像読み取りを行わせる役目を有している。
【０００３】
実際に画像読み取りを行うに際しては、まず原稿圧板を開き、原稿を原稿台に載置した後に原稿圧板を閉じて画像読み取りを行い、画像読み取り終了後には原稿圧板を開放して、原稿を原稿台から取り除く。
【０００４】
しかし、従来の画像読取装置では、原稿圧板は装置使用者が手動で開閉操作する構成となっているため、装置の使用者が、画像読み取り開始前と終了後に、各々手動で原稿圧板を開閉する手間を必要としていた。
【０００５】
これに対し、原稿圧板を専用の駆動手段で、自動的に開閉動作を行う技術も提案されている（例えば、特許文献１参照。）。
【特許文献１】特開昭６１−２５６３４１号公報
【発明の開示】
【発明が解決しようとする課題】
【０００６】
しかしながら、装置使用者自らが原稿圧板の開閉動作を行い、原稿台への原稿の載置、取り出しを行う場合、画像読み取り終了後に原稿を原稿台へ置き忘れやすいという問題があった。また、上記特許文献１の技術では、専用の駆動手段により原稿圧板を開閉動作させる構成のため、画像読み取り用と圧板開閉用に複数の駆動手段が装備されることとなり、装置のコスト高や消費電力の増大、装置の大型化等の問題があった。
【０００７】
本発明は、このような問題点に鑑みて為されたものであり、その目的とする処は、装置使用者が原稿圧板の開放をせず原稿台上に載置した原稿を忘れてしまうことがなく、かつ、低コスト化、省電力化、装置の小型化が可能な画像読取装置を提供することにある。
【課題を解決するための手段】
【０００８】
本発明は、下記の技術的構成により前記目的を達成できたものである。
【０００９】
（１）原稿を載置する原稿載置部と、原稿の画像情報を読み取る画像読取部と、画像を読み取るために前記画像読取部を移動させる駆動部と、前記原稿載置部に対して回動自在に保持され、前記原稿載置部の原稿を押える為の原稿圧板を備えた画像読取装置に於いて、前記原稿圧板を開放するための圧板開放部と、前記駆動部の駆動力を選択的に前記圧板開放部に伝達する駆動切替部とを備え、前記画像読取部が原稿の画像情報を読み取り終わり元の位置に戻る間、前記駆動切替部によって駆動力を前記圧板開放部に伝達し、前記原稿圧板を開放することを特徴とする画像読取装置。
【００１０】
（２）原稿の画像情報を読み取る画像読取部と、原稿を押える原稿圧板と、駆動部と、を備える画像読取装置において、前記画像読取部を移動させる移動部と、前記原稿圧板を開放する圧板開放部とを備え、前記駆動部の駆動力を選択的に前記移動部および前記圧板開放部、または前記移動部に伝達する駆動切替部を備えることを特徴とする画像読取装置。
【００１１】
（３）原稿の画像情報を読み取る画像読取部と、原稿を押える原稿圧板と、駆動部と、を備える画像読取装置において、前記画像読取部を移動させる移動部と、前記原稿圧板を開放する圧板開放部とを備え、前記駆動部の駆動力を選択的に前記移動部または前記圧板開放部に伝達する駆動切替部を備えることを特徴とする画像読取装置。
【発明の効果】
【００１２】
本発明によれば、装置使用者が原稿圧板の開放をせず原稿台上に載置した原稿を忘れてしまうことがなく、かつ、低コスト化、省電力化、装置の小型化が可能な画像読取装置を提供することができる。
【発明を実施するための最良の形態】
【００１３】
以下本発明の実施例について、図面を参照しながら説明する。
【００１４】
（実施例１）
以下に図面を参照して、本発明の実施の形態を説明する。
【００１５】
本発明の密着型イメージセンサを備えた画像読取装置を図１、図２、図３に示す。
【００１６】
図１は、本発明の画像読取装置の側面断面図、図２は、図１に示したＡ−Ａ線断面図、図３は、図１に示したＢ−Ｂ線断面図である。
【００１７】
１００は、原稿の画像情報を読み取る画像読取部であるＣＩＳユニット、１２０は、セルフォックレンズアレイ１４０の結像位置に配置されたイメージセンサ基板、１３０はケーシング、１３２は、位置決め形状２１１と組み合わせるためにケーシング１３０が備える位置決め形状、１３３は、位置決め形状２１２と組み合わせるためにケーシング１３０が備える位置決め形状、１４０は、原稿からの反射光を結像させるセルフォックレンズアレイ、１５０は、原稿を照明する照明手段であるキセノン管、１６０は、コロ等の公知の摺動部材からなる当接部材、２００は画像読取体、２１０は、蓋のない箱状の走行体、２１１は、位置決め形状１３２と組み合わせるために走行体２１０が備える位置決め形状、２１２は、位置決め形状１３３と組み合わせるために走行体２１０が備える位置決め形状、２２０はバネ、２３０は、ＣＩＳユニット１００を移動させる移動部であるタイミングベルト、２４０は、画像を読み取るためにＣＩＳユニット１００を移動させる駆動部であるモータ、２５０は、原稿を載置する原稿載置部である原稿台ガラス、２６０は流し読みガラス、２７０はガイド軸、３００は、原稿台ガラス２５０および流し読みガラス２６０に対して回動自在に保持され、原稿台ガラス２５０および流し読みガラス２６０の原稿を押える為の原稿圧板であるＡＤＦ、３１０はヒンジである。
【００１８】
３２０は欠け歯ギア、３３０は欠け歯ギア軸、３４０はアイドラギアである。欠け歯ギア３２０、欠け歯ギア軸３３０、アイドラギア３４０は、ＡＤＦ３００を開放するための圧板開放部を構成する。欠け歯ギア３２０、欠け歯ギア軸３３０、アイドラギア３４０は、ヒンジ３１０の中に設けられている。
【００１９】
ａ〜ｋはローラである。
【００２０】
本実施例の画像読取装置は、画像読取体２００とＡＤＦ３００とからなる。
【００２１】
画像読取体２００は、ブック読み方式用の原稿台ガラス２５０と、流し読み方式用の流し読みガラス２６０、さらに、両方の読み取り方法で共用される密着型イメージセンサであるＣＩＳユニット１００等を備えている。
【００２２】
図１および図３に示すように、画像読取体２００上部には、ＡＤＦ３００が、ヒンジ３１０を介して回動自在、すなわち開閉自在に備えられている。ＡＤＦ３００は、流し読み方式時には、ローラａ〜ｋを用いて原稿を流し読みガラス２６０上に搬送し、ブック読み方式時には、原稿を原稿台ガラス２５０上に固定する原稿圧板として機能する。
【００２３】
図２に示すように、ＣＩＳユニット１００は、イメージセンサ基板１２０、セルフォックレンズアレイ１４０、キセノン管１５０と、これらを一体に収めるケーシング１３０、そしてケーシング１３０上部に備えられる当接部在１６０等から構成される。
【００２４】
図３に示すように、ＣＩＳユニット１００は、走行体２１０に備えられたバネ２２０上に積載される。そして、バネ２２０により上方向に加圧され、当接部材１６０が、原稿台ガラス２５０下面、または流し読みガラス２６０下面に当接される。かくしてＣＩＳユニット１００は、原稿面から所定の距離をおいて配置される。
【００２５】
ブック読み方式の場合、原稿台ガラス２５０上に置かれた原稿は、ＡＤＦ３００により固定される。そして、モータ２４０が駆動し、その駆動がタイミングベルト２３０を介して走行体２１０に伝えられる。これによって、走行体２１０がガイド軸２７０に沿って所定の速度で副走査方向に移動し、ＣＩＳユニット１００により原稿の画像情報を読み取ることができる。
【００２６】
流し読み方式の場合、ＣＩＳユニット１００は流し読みガラス２６０の下の流し読み位置に固定され、ＡＤＦ３００により原稿が流し読みガラス２６０上を副走査方向に所定の速度で通過し、これによってＣＩＳユニット１００により原稿の画像情報を読み取ることができる。
【００２７】
次に、図４を用いて、走行体に対するＣＩＳユニットの位置決め方法を説明する。
【００２８】
図４は、本発明の密着型イメージセンサの説明図であって、キセノン管を透過して示した図である。
【００２９】
図４は、ケーシング１３０に対するイメージセンサ基板１２０の取り付け位置基準、および走行体２１０に対するケーシング１３０の取り付け位置基準を示す。
【００３０】
１２１は、位置決め形状１３１と組み合わせるためにイメージセンサ基板１２０が備える位置決め形状、１３１は、位置決め形状１２１と組み合わせるためにケーシング１３０が備える位置決め形状である。
【００３１】
位置決め形状１２１と位置決め形状１３１とを組み合わせることで、イメージセンサ基板１２０をケーシング１３０の所定の位置に位置決めできる。
【００３２】
また、ＣＩＳユニット１００のケーシング１３０は、主走査方向の位置決め形状１３２および副走査方向の位置決め形状１３３を備えている。一方、走行体２１０も、主走査方向の位置決め形状２１１および副走査方向の位置決め形状２１２を備えている。ＣＩＳユニット１００は、位置決め形状１３２と位置決め形状２１１、および位置決め形状１３３と位置決め形状２１２とがそれぞれ係合した状態で、所定の位置に位置決めされる。
【００３３】
次に、図５（ａ）、（ｂ）を用いて、ＡＤＦ３００の開放動作について説明する。
【００３４】
図５は、本発明のＡＤＦ支持、開閉構成を示した図であって、（ａ）はＡＤＦを閉じた状態を示す図、（ｂ）はＡＤＦを開いた状態を示す図である。
【００３５】
１７０は、駆動力の切替を制御する制御手段であるＣＰＵ、１８０は、モータ２４０の駆動力を選択的に圧板開放部に伝達する駆動切替部である電磁クラッチである。
【００３６】
欠け歯ギア３２０と欠け歯ギア軸３３０は、ＡＤＦ本体３００に固定されている。そして、欠け歯ギア軸３３０は、ヒンジ３１０に回転可能に支持されているため、ＡＤＦ３００は、欠け歯ギア軸３３０を中心に回動自在に支持されている。
【００３７】
また、モータ２４０の駆動は、前述の通り、走行体２１０を移動させてＣＩＳユニット１００を移動させるとともに、電磁クラッチ１８０、アイドラギア３４０を介して、欠け歯ギア３２０を回転させる構成になっている。
【００３８】
ここで、走行体２１０が、流し読みガラス２６０と原稿台ガラス２５０の間に設けられた待機位置から流し読み方式の流し読み位置へ移動する場合や、ブック読み方式で原稿台ガラス２５０上に載置された原稿の画像情報を読み取る為に走行体２１０を駆動する場合には、ＣＰＵ１７０からの命令により、モータ２４０の駆動をタイミングベルト２３０のみに伝達し、走行体２１０を移動させる。
【００３９】
一方、ブック読み方式で、原稿台ガラス２５０上の原稿の画像情報の読み取りを終了し、走行体２１０を待機位置に戻す際には、ＣＰＵ１７０の命令により、電磁クラッチ１８０がＯＮになり、走行体２１０を移動させるとともに、モータ２４０の駆動力はアイドラギア３４０を介して欠け歯ギア３３０にも伝達される。したがって、欠け歯ギア３２０はアイドラギア３４０と歯が噛み合わなくなるまで回転され、これにより、ＡＤＦ３００は回動され、開放されることになる。
【００４０】
走行体２１０が待機位置まで戻ると、電磁クラッチ１８０はＯＦＦされる。ここで、ヒンジ３１０内には、ＡＤＦ３００の重量に対抗する対抗手段、例えば不図示のバネ等が設けられている。そのため、ＡＤＦ３００は、その状態で保持される。そして、装置使用者は、画像情報の読み取りを終了した原稿を忘れることなく取り除き、次の画像読み取りに備える。
【００４１】
このように、本実施例の画像読取装置は、ＣＩＳユニット１００が原稿の画像情報を読み取り終わり、元の位置に戻る間、モータ２４０の駆動力を圧板開放部に伝達し、ＡＤＦ３００を開放する。
【００４２】
すなわち、画像読取装置内の画像読取ユニットであるＣＩＳユニット１００の画像読み取り終了後のバック動作の駆動とともに、原稿圧板であるＡＤＦ３００の開放動作をも１つの駆動モータ２４０によって行う。
【００４３】
なお、本実施例では、電磁クラッチ１８０のＯＮのタイミングは、ＣＩＳ１００の現在位置や移動先から、電磁クラッチ１８０のＯＦＦのタイミングは、ＣＩＳの現在位置から、それぞれＣＰＵ１７０が判断するが、本発明はこれのみに限られるものではなく、例えばＣＩＳ１００の移動方向及び移動距離からＣＰＵ１７０が判断するようにしたり、原稿台ガラス２５０上の原稿を検出するセンサにより、ＣＰＵ１７０が判断するようにしたりすることもできる。
【００４４】
さらに、ＡＤＦ３００が自動的に開放される際には、予めキセノン管１５０をＯＦＦして眩しくないようにしたり、ユーザが作業を急いでいて、ＡＤＦ３００が自動的に開放されていく最中にＡＤＦ３００を閉めようとした場合には、電磁クラッチ１８０をＯＦＦにしたりすることもできる。
【００４５】
また、電磁クラッチ１８０のＯＮ、ＯＦＦをＣＰＵ１７０に判断させるか否かを、図示していない操作パネルやスイッチ等によってユーザが設定できるようにすることも可能である。
【００４６】
なお、本実施例の電磁クラッチ１８０は、ＣＰＵ１７０の制御によりモータ２４０の駆動力を選択的に移動部であるタイミングベルト２３０および圧板開放部３２０、３３０、３４０、またはタイミングベルト２３０のみに伝達する駆動切替部であるが、移動部のみまたは圧板開放部のみに伝達する駆動切替部としてもよいし、移動部および圧板開放部、または圧板開放部のみに伝達する駆動切替部としてもよい。
【図面の簡単な説明】
【００４７】
【図１】本発明の画像読取装置の側面断面図
【図２】図１に示したＡ−Ａ線断面図
【図３】図１に示したＢ−Ｂ線断面図
【図４】本発明の密着型イメージセンサの説明図であって、キセノン管を透過して示した図
【図５】本発明のＡＤＦ支持、開閉構成を示した図であって、（ａ）はＡＤＦを閉じた状態を示す図、（ｂ）はＡＤＦを開いた状態を示す図
【符号の説明】
【００４８】
１００  ＣＩＳユニット
１２０  イメージセンサ基板
１２１  主走査方向の位置決め形状
１３０  ケーシング
１３１  位置決め形状
１３２  位置決め形状
１３３  位置決め形状
１４０  セルフォックレンズアレイ
１５０  キセノン管
１６０  当接部材
１７０  ＣＰＵ
１８０  電磁クラッチ
２００  画像読取体
２１０  走行体
２１１  位置決め形状
２１２  位置決め形状
２２０  バネ
２３０  タイミングベルト
２４０  モータ
２５０  原稿台ガラス
２６０  流し読みガラス
２７０  ガイド軸
３００  ＡＤＦ
３１０  ヒンジ
３２０  欠け歯ギア
３３０  欠け歯ギア軸
３４０  アイドラギア
【図１】
2005167558.tif 000003
【図２】
2005167558.tif 000004
【図３】
2005167558.tif 000005
【図４】
2005167558.tif 000006
【図５】
2005167558.tif 000007